(57)【要約】【課題】歯医者又は外科医が、歯の充填材又は接着剤による最適な接着を達成することができる歯又は骨の表面の乾燥方法を示す。【解決手段】歯又は骨の表面（５）を乾燥するための装置であって、歯又は骨の表面（５）を照射するための照射源（３）と、温度センサ（６）及び／又は湿度センサ（７）を備える。【選択図】図１
2019536555.tif 000002
【特許請求の範囲】
【請求項１】
乾燥対象の歯又は骨の表面（５）を照射するための照射源（３）を備え、
温度センサ（６）及び／又は湿度センサ（７）によって特徴付けられる、歯又は骨の表面（５）を乾燥させるための装置。
【請求項２】
前記湿度センサ（７）が、空気の湿度を決定するためのセンサであることを特徴とする請求項１に記載の装置。
【請求項３】
前記照射源（３）が、レーザ、好ましくは赤外線レーザであることを特徴とする、先行する請求項のいずれかに記載の装置。
【請求項４】
歯（２）又は骨の上の位置にセットされるスペーサ（１０）によって特徴付けられる、先行する請求項のいずれかに記載の装置。
【請求項５】
前記スペーサ（１０）が管状に設計されていることを特徴とする、先行する請求項のいずれかに記載の装置。
【請求項６】
前記温度センサ（６）と前記湿度センサ（７）からの信号の関数として前記照射源（３）を制御するコントローラ（８）によって特徴付けられる、先行する請求項のいずれかに記載の装置。
【請求項７】
前記コントローラ（８）が、乾燥対象の歯又は骨の表面（５）の所定最高温度を超えないように前記照射源（３）を制御することを特徴とする請求項６に記載の装置。
【請求項８】
前記コントローラ（８）が前記照射源（３）を制御することによって、乾燥対象の歯又は骨の表面（５）の温度を設定値に制御することを特徴とする請求項６又は７に記載の装置。
【請求項９】
前記温度センサ（８）が乾燥対象の歯又は骨の表面（５）の非接触温度測定を行うための放射センサであることを特徴とする、先行する請求項のいずれかに記載の装置。
【請求項１０】
前記湿度センサ（７）が、湿度所定の閾値に到達するか、又は、それ以下となったことを検出次第、信号を発生する合図ユニット（９）により特徴付けられる、先行する請求項のいずれかに記載の装置。
【発明の詳細な説明】
【技術分野】
【０００１】
本発明は、歯又は骨の表面を乾燥するための装置に関する。
【背景技術】
【０００２】
特許文献１から、レーザを照射することによって歯の表面を乾燥することが知られている。
【０００３】
虫歯を処置する際、蝕まれた歯の物質は取り除かれ、次いで、歯の充填材によって置き換えられる。虫歯物質が取り除かれることによって形成された歯の表面に充填材が良く付着することが重要である。これを可能にするため、通常は湿っている歯の表面は、まず乾燥されなければならない。乾燥は、通常、歯の表面上に乾燥空気を吹き付けるか、又は、特許文献１に記載されているように、照射によって行われる。
【０００４】
同様に、外科手術は、時々、例えば人工関節を挿入する時のように、骨の表面を乾燥することを必要とする。そのような場合も、骨と人工関節の間で、良好な接着が達成されなければならない。良好な接着のため、骨の表面は湿っていてはならず、乾燥されていなければならない。
【先行技術文献】
【特許文献】
【０００５】
【特許文献１】ＷＯ００／０９０３０Ａ１号公報
【発明の概要】
【発明が解決しようとする課題】
【０００６】
本発明の目的は、歯科医又は外科医が、歯又は骨の表面の乾燥を行うことが出来、歯の充填材又は接着剤による最適な接着が達成される方法を示すことにある。
【０００７】
この目的は、請求項１中に特定された様相を有する装置によって達成される。本発明の有利な改良は、従属クレームの主題である。
【課題を解決するための手段】
【０００８】
本発明による装置は、歯又は骨の表面を乾燥するための照射を発生する、レーザ又はダイオードのような照射源と、乾燥対象の歯又は骨の表面の温度を測定する温度センサと、水分センサを含む。このようにして、歯又は骨の表面は、照射により乾燥され、所定の歯の充填材又は所定の接着剤に対して最適な水分レベルが達成される。温度センサは、損傷に繋がる歯又は骨の表面の過剰な加熱を防止するのに用いられる。水分センサは、歯又は骨の表面の水分レベルが歯の充填材又は骨の接着剤又はセメントに対して良好な接着を形成することが出来る最適な範囲内にあることを決定するのを許容する。
【０００９】
特に、プラスチックベースの歯の充填材の場合、歯の表面の水分レベルは、良好な接着のために臨界的な重要性を有する。水分が多すぎると、歯の表面と充填材又は接着促進剤間の安定した化学結合の形成が妨害される。しかしながら、完全な乾燥、言い換えると、水分が少なすぎても、良好な結果には結びつかない。なぜならば、象牙質中に含まれるコラーゲン繊維が崩壊し、充填材又は接着剤との接着が行われなくなるからである。水分が多すぎたり、又は乾燥しすぎた歯の表面は、悪い接着に繋がる。同様な状況が外科の分野における人工関節の骨への接着の際に生じる。ここでも、骨の表面は、最適な接着のために水分が多すぎたり、又は乾燥しすぎたりしていてはならない。
【００１０】
本発明の有利な改良において、水分センサは、空気の湿度、特に、乾燥対象の歯又は骨表面の空気の湿度を測定するようにされる。歯の充填材又は接着剤の接着のために臨界的な歯又は骨の表面水分レベルは、空気の湿度、特に、乾燥対象の歯又は骨の表面の近くの空気の湿度に強く関係する。表面の水分レベルは、従って、空気の湿度の測定によって決定される。乾燥対象の歯又は骨の表面の表面水分レベルは、測定された空気湿度から装置のコントローラ中に例えば表又は曲線として記憶された経験的なデータによって決定できる。この決定の正確さは、歯又は骨の表面の温度も考慮して、言い換えると、表面水分レベルを、温度と空気湿度の関数としてのパラメータマップから決定することによって向上できる。
【００１１】
湿度センサは、例えば、容量性湿度センサであることができる。容量性湿度センサは、キャパシタの２つの電極間の、通常はプラスチック又はセラミック製の誘電体を感湿層として用いる。誘電体中への水分の吸収は、その性質を変化させ、キャパシタの容量を変化させる。湿度センサは、例えば、インピーダンスセンサや抵抗センサであることもできる。そのようなセンサは、２つの電極間の電気抵抗が水分の吸収によって変化する感湿層を用いる。
【００１２】
湿度センサは、例えば規定された距離間のレーザから赤外光の吸収を測定することによって、光により測定するように動作することもできる。空気中の赤外光の吸収は、本質的に水分の影響を受けるので、吸収測定から空気の水分を計算するのにランベルトベールの法則を用いることができる。
【００１３】
温度センサは、例えば、非接触測定温度計であることができる。乾燥対象の歯又は骨の表面の温度を歯又は骨の表面から放出された熱放射に基づいて決定する放射温度計が特に好適である。
【００１４】
本発明の更に有利な改良によると、装置は、歯又は骨の位置にセットされるスペーサを含む。これは、湿度センサが、乾燥対象の歯又は骨の表面の近くの空気の水分を測定するのを確実にする。更に、スペーサは、乾燥対象の歯又は骨の表面における空気を、息のような干渉からシールドすることができる。この目的で、スペーサは、例えば筒状に設計することができる。湿度センサは、干渉を大きく受けることなく筒内の空気の湿度を測定することができる。歯又は骨の表面を乾燥するための照射は、筒によって囲まれたスペースを通して乾燥対象の表面に当たる。
【００１５】
本発明のもう一つの有利な改良は、装置が、温度センサと湿度センサの測定信号を評価するコントローラを含むことである。このコントローラは照射パワーを制御することによって、乾燥対象の歯又は骨の表面が過剰に加熱されることを防止することができる。歯又は骨の表面を４２℃を超えて加熱すると、組織の損傷に繋がるので、避けなければならない。しかしながら、安全のため、歯又は骨の表面の温度のより低い上限が、例えば４１℃に設定される。コントローラは、歯又は骨の表面の温度を所定の設定値、例えば３９℃と４０℃の間の値に調節することができる。
【００１６】
温度センサ及び湿度センサからの信号を評価することによって、コントローラは、乾燥対象の歯又は骨の表面が、いつ歯の充填材、接着剤等の適用に最適な水分レベルになったか決定して、合図ユニットにより、例えば光又は音信号によってユーザにこれを示すことができる。このようにして、信号音又は光が、ユーザに対して、乾燥プロセスが完了したことを示すことが出来る。
【００１７】
良好な接着の為に、どの表面水分レベルが最適であるかは、歯の充填材又は接着剤それぞれの化学的な性質に依存する。しかしながら、所定の歯の充填材又は接着剤に対して、最適な水分レベルは、常に、例えばラボの試験によって決定できる。推薦される歯の充填材又は推薦される接着剤に対するこれらは、製造者によって装置のコントローラに記憶される。ユーザが装置を調整して、乾燥プロセスにより到達される水分レベルを調整することも可能である。
【００１８】
本発明の詳細及び利点は、本発明の実施形態を用いて、図面を参照しながら説明される。
【図面の簡単な説明】
【００１９】
【図１】歯又は骨の表面を乾燥するための装置の概略図
【発明を実施するための形態】
【００２０】
図１は、歯又は骨の表面を乾燥するための装置１を、歯２と共に示す概略図である。この装置１は、例えば赤外線レーザ又はダイオードのような照射源３を含む。照射源３から放出された照射４、例えば赤外線放射は、乾燥対象の歯又は骨の表面５に当たる。これにより、歯又は骨の表面が加熱され、乾燥対象の歯又は骨の表面５の水分が蒸発する。
【００２１】
前記装置１は、温度センサ６及び湿度センサ７を含み、これらは照射源３と同様にコントローラ８に接続されている。温度センサ６は非接触測定温度計であり、例えば赤外線放射を検出し、これから表面温度を決定することによって、乾燥対象の歯又は骨の表面５の温度を測定する。湿度センサ７は、空気の湿度を測定し、例えば容量又は抵抗センサであることができる。
【００２２】
前記コントローラ８は、温度センサ６と湿度センサ７からの測定信号を評価し、照射源３を制御する。コントローラ８は、患者の組織の損傷を防ぐために、歯又は骨の表面５が所定の最高温度、例えば４２℃を超えて加熱されるのを防ぐ。コントローラ８は、例えば３９℃と４１℃の間にある所定値に歯又は骨の表面５の温度を調節することができる。
【００２３】
前記コントローラ８は、湿度センサ７からの信号を評価することによって空気の湿度を決定する。測定された空気の湿度及び歯及び骨の表面５の温度から、例えば、コントローラ８中に表、特性曲線、又はパラメータマップとして記憶された経験的なデータによって、歯及び骨の表面５の表面水分が決定される。コントローラ８が当該歯の充填材又は接着剤の最適な接着を許容する水分レベルを検出次第、コントローラ８は自動的に乾燥プロセスを終了し、コントローラ８に接続された例えば音響又は光信号を発生する合図ユニット９を動作させることによって、これを知らせる。
【００２４】
装置は、筒状のスペーサ１０を持つことが出来、これにより、測定された空気の湿度が、水分の多い息のような外乱の影響により損なわれるのを可能な限り少なくする。スペーサ１０は、照射源３から照射された照射コーン４、湿度センサ７及び温度センサ６を取り囲んでいる。
【符号の説明】
【００２５】
１…装置
２…歯
３…照射源
４…照射コーン
５…歯又は骨の表面
６…温度センサ
７…湿度センサ
８…コントローラ
９…合図ユニット
１０…スペーサ
【図１】
2019536555.tif 000003
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
乾燥対象の歯又は骨の表面（５）を照射するための照射源（３）と、
温度センサ（６）と、
湿度センサ（７）と、
を備えた、歯又は骨の表面（５）を乾燥させるための装置。
【請求項２】
前記湿度センサ（７）が、空気の湿度を決定するためのセンサであることを特徴とする請求項１に記載の装置。
【請求項３】
前記照射源（３）が、レーザであることを特徴とする請求項１又は２に記載の装置。
【請求項４】
歯（２）又は骨の上の位置にセットされるスペーサ（１０）によって特徴付けられる請求項１乃至３のいずれかに記載の装置。
【請求項５】
前記スペーサ（１０）が管状に設計されていることを特徴とする請求項４に記載の装置。
【請求項６】
前記温度センサ（６）と前記湿度センサ（７）からの信号の関数として前記照射源（３）を制御するコントローラ（８）によって特徴付けられる請求項１乃至５のいずれかに記載の装置。
【請求項７】
前記コントローラ（８）が、乾燥対象の歯又は骨の表面（５）の所定最高温度を超えないように前記照射源（３）を制御することを特徴とする請求項６に記載の装置。
【請求項８】
前記コントローラ（８）が前記照射源（３）を制御することによって、乾燥対象の歯又は骨の表面（５）の温度を設定値に制御することを特徴とする請求項６又は７に記載の装置。
【請求項９】
前記温度センサ（６）が乾燥対象の歯又は骨の表面（５）の非接触温度測定を行うための放射センサであることを特徴とする請求項１乃至８のいずれかに記載の装置。
【請求項１０】
前記湿度センサ（７）が、湿度が所定の閾値に到達するか、又は、それ以下となったことを検出次第、信号を発生する合図ユニット（９）により特徴付けられる請求項１乃至９のいずれかに記載の装置。
【国際調査報告】
2019536555.tif 000004
2019536555.tif 000005
2019536555.tif 000006
2019536555.tif 000007
2019536555.tif 000008
2019536555.tif 000009